(57)【要約】      （修正有）【課題】みかんなどの採果などハサミによる反復作業により腱鞘炎などの病気や多大な疲労や刃先による切り傷を伴っていたが、スライド式を利用することで指に掛かる負担の大幅な軽減を実現し快適な作業を行う事が可能となる枝切金物を提供する。【解決手段】片手でみかんなどの採果など枝（果実・茎）を保持し、力を加えると変形し、取り除くと復元する性質の板バネと、回転自在の先端が鋭利な角度を有した円盤状の刃物（チューブカッター刃）２個を組み合わせたスライド式枝切金物をもう一方の手で軽く握り、枝（茎）の切断箇所に当てがいそのまま押し込む。この時、取手（力を加えると変形）が広がり、枝が円盤状の刃物に１回目の軽い切断傷を付けられて取手の内側に移動する。その後、スライド式枝切金物の取手部分を握り締め引き抜く事で切断が完了する。【選択図】図３
0003170670.tif 000002
【実用新案登録請求の範囲】
【請求項１】
みかんなどの採果の際、片手でみかんなどを保持し、脱着可能な回転自在の先端が鋭利な角度を有した円盤状の刃物（チューブカッター刃）（１）２枚を、力を加えると変形し、取り除くと復元する性質のバネ（６）、取手（５）、ストッパー（４）、安全カバー（３）、バネ圧調整ナット（１０）より形成される本体部分にインサートナット（５）と締め付けボルト（２）で取り付けたスライド式枝切金物。
【考案の詳細な説明】
【技術分野】
【０００１】  この考案は、力を加えると変形し、取り除くと復元する性質のバネと、回転自在の先端が鋭利な角度を有した円盤状の刃物（チューブカッター刃）２個を組み合わせ、双方の円盤状刃物の刃先の間に枝や茎を挟み引き抜く事により切断を容易に行う事ができる。
【背景技術】
【０００２】  農作業（みかん、茶摘の収穫など長時間ハサミを使用しなくてはならず、反復動作により指先などへの負担がかかり、腱鞘炎などの病気を引き起こしたり、刃先により受傷していた。特にみかんの収穫の例では、採果の際、みかんの肌に傷を付けなくするため、２度の切断を行わなければ成らず、日に数万回ハサミを使用していた。その為人体には、極度の負担が生じていた。
【考案の概要】
【考案が解決しようとする課題】
【０００３】  みかんなどの採果などハサミによる反復作業により腱鞘炎などの病気や多大な疲労を伴っていたが、スライド式枝切金物を使用することで指に掛かる負担の大幅な軽減を実現し快適な作業を行う事が可能となる。
【課題を解決するための手段】
【０００４】  この課題を解決するための手段として、みかんなどの採果の際、片手でみかんなどを保持し、力を加えると変形し、取り除くと復元する性質のバネと、回転自在の先端が鋭利な角度を有した円盤状の刃物（チューブカッター刃）２個を組み合わせたスライド式枝切金物をもう一方の手で軽く握り、枝（茎）の切断箇所に当てがいそのまま押し込む。この時、取手（力を加えると変形）が広がり、枝が円盤状の刃物に１回目の軽い切断傷を付けられて取手の内側に移動する。その後、スライド式枝切金物の取手部分を握り締め引き抜く事で切断が完了する。
【考案の効果】この考案の効果として、みかんなどの採果などハサミによる指先の反復作業により腱鞘炎などの病気や多大な疲労を伴っていたが、スライド式枝切金物を仕様する事によりハサミによる指先の反復作業をなくし、単純（握る・押す・引く）作業（人間工学にマッチ）に変える事ができ快適な作業を提供できる。
【図面の簡単な説明】
【０００５】
【図１】この考案の１実施例を示したスライド式枝切金物、（Ａ）は平面図で、（Ｂ）は側面図、（Ｃ）はＡＡ断面拡大図である。
【図２】この考案の使用例を示し、全体作業姿勢を示す、（Ａ）は平面図で、（Ｂ）は側面図、（Ｃ）はスライド式枝切金物断面図、正面図である。
【図３】この考案の使用例を示し、全体作業姿勢を示す、（Ａ）は平面図で、（Ｂ）は側面図、（Ｃ）はスライド式枝切金物断面図、正面図である。
【図４】この考案の使用例を示し、全体作業姿勢を示す、（Ａ）は平面図で、（Ｂ）は側面図、（Ｃ）はスライド式枝切金物断面図、正面図である。
【考案を実施する為の最良の形態】
【０００６】  この考案の最良の形態として、安全性・操作性・耐久性を考慮し、枝（茎）形状、硬さに応じた寸法形状・材質を選定する事が重要である。
【実施例】
【０００７】  そこで、この考案の一実施例を図１〜図４に基づいて詳述すると、みかんなどの採果作業の際、みかん（８）を片手で保持し、スライド式枝切金物の取手（７）を軽く握り押す事により２個ある回転自在のチューブカッター刃（１）の間に枝（９）が１回目の軽い切断傷を付けられて取手の内側に移動する。この時、ばね（６）（力を加えると変形）が広がる。その後、スライド式枝切金物の取手（７）を握り締める事で２個ある回転自在のチューブカッター刃（１）が閉じた状態になる。
この状況で引き抜くと枝（９）の切断が完了する。【０００８】と
この考案の構造について説明すると、図（１）に示すように、回転自在のチューブカッター刃（１）をバネ（６）、取手（７）、ストッパー（４）、安全カバー（３）、バネ圧調整ナット（１０）より形成される本体部分にインサートナット（５）と締め付けボルト（２）で取り付けたスライド式枝切金物である。
【産業上の利用可能】
【００９】  この考案のスライド式枝切金物はみかんなどの採果作業の際、ハサミを使用していたが、安全面或いは、疲労など大幅に改善でき人間工学にマッチした製品で果樹の採果、茶摘など用途も多様である。
【符号の説明】
【０１０】１・・・チューブカッター刃                ２・・・締め付けボルト
３・・・安全カバー                        ４・・・ストッパー
５・・・インサートナット                  ６・・・バネ
７・・・取手                              ８・・・みかん
９・・・枝                              １０・・・バネ圧調整ナット
【図１】
0003170670.tif 000003
【図２】
0003170670.tif 000004
【図３】
0003170670.tif 000005
【図４】
0003170670.tif 000006
【手続補正書】
【提出日】平成23年6月9日(2011.6.9)
【手続補正１】
【補正対象書類名】実用新案登録請求の範囲
【補正対象項目名】全文
【補正方法】変更
【補正の内容】
【実用新案登録請求の範囲】
【請求項１】
力を加えると変形し、取り除くと復元する性質を利用したＵ字形の本体（６）の両先端に安全カバー（３）を設け、安全カバー部（３）の両先端に脱着可能で回転自在の先端が鋭利な角度を有した円盤状のチューブカッター（１）を刃先部分同士が接触するようにインサートナット（５）と締め付けボルト（２）で固定し、２個のチューブカッター刃（１）の刃先部分が重なり合わない様ストッパー（４）を本体（６）の先端に設け、尚且つＵ字形の本体（６）のバネ圧の調整が出来るようバネ圧調整ナット（１０）を本体（６）の中央部に設けたスライド式枝切金物。
【手続補正２】
【補正対象書類名】明細書
【補正対象項目名】０００７
【補正方法】変更
【補正の内容】
【０００７】そこで、この考案の一実施例を図１〜図４に基づいて詳述すると、みかんなどの採果作業の際、みかん（８）を片手で保持し、スライド式枝切金物の取手（７）を軽く握り押す事により２個ある回転自在のチューブカッター刃（１）の間に枝（９）が１回目の軽い切断傷を付けられて取手の内側に移動する。この時、本体（６）（力を加えると変形）が広がる。その後、スライド式枝切金物の取手（７）を握り締める事で２個ある回転自在のチューブカッター刃（１）が閉じた状態になる。この状況で引き抜くと枝（９）の切断が完了する。
【手続補正３】
【補正対象書類名】明細書
【補正対象項目名】０００８
【補正方法】変更
【補正の内容】
【０００８】この考案の構造について説明すると、図（１）に示すように、回転自在のチューブカッター刃（１）を本体（６）、取手（７）、ストッパー（４）、安全カバー（３）、バネ圧調整ナット（１０）より形成される本体部分にインサートナット（５）と締め付けボルト（２）で取り付けたスライド式枝切金物である。
【手続補正４】
【補正対象書類名】明細書
【補正対象項目名】００１０
【補正方法】変更
【補正の内容】
【００１０】１・・・チューブカッター刃              ２・・・締め付けボルト
３・・・安全カバー                      ４・・・ストッパー
５・・・インサートナット                ６・・・本体
７・・・取手                            ８・・・みかん
９・・・枝                              １０・・・バネ圧調整ナット